(57)【要約】      （修正有）【課題】保護線を設けなくても、エレベータの昇降をするロープが振動などにより、昇降路内のレールブラケットの裏面に回り込んで、引っかかることを防止する、エレベータ装置を提供する。【解決手段】エレベータ装置は、エレベータの昇降方向に沿って昇降路に対を成して設けられたガイドレールと、前記ガイドレールを前記昇降路に支持し、前記ガイドレールを支持する支持面には上端に前記ガイドレールの幅以下の長さであり前記ガイドレールに遮蔽される短辺部と下端に長辺部とを有するレールブラケットと、を具備し、前記レールブラケットは下端に長辺部を有し、前記支持面における前記短辺部の端部と前記長辺部の端部とは、円弧状の曲線または単一の傾斜による直線である縁部にてつながっており、前記縁部と前記短辺部との接続点は前記ガイドレールに遮蔽されている。【選択図】図３
2019055829.tif 000002
【特許請求の範囲】
【請求項１】
エレベータの昇降方向に沿って昇降路に対を成して設けられたガイドレールと、
前記ガイドレールを前記昇降路に支持し、前記ガイドレールを支持する支持面には上端に前記ガイドレールの幅以下の長さであり前記ガイドレールに遮蔽される短辺部を有するレールブラケットと、
を具備するエレベータ装置。
【請求項２】
前記レールブラケットは下端に長辺部を有し、
前記支持面における前記短辺部の端部と前記長辺部の端部とは、円弧状の曲線または単一の傾斜による直線である縁部にてつながっており、前記縁部と前記短辺部との接続点は前記ガイドレールに遮蔽されている、
請求項１に記載のエレベータ装置。
【請求項３】
前記ガイドレールは、乗りかごを挟んで設けられた、請求項１または請求項２に記載のエレベータ装置。
【請求項４】
前記ガイドレールは、カウンタウエイトを挟んで設けられた、請求項１または請求項２に記載のエレベータ装置。
【発明の詳細な説明】
【技術分野】
【０００１】
本発明の実施形態は、エレベータ装置に関する。
【背景技術】
【０００２】
地震の揺れなど長周期振動がエレベータに加わると、乗りかごやカウンタウエイトなどを昇降させるロープが、レールブラケットの裏面に回り込んで引っかかる場合があった。このため従来は、レールブラケットの左右端に鉄線の保護線をエレベータの昇降方向に沿って設けることで、ロープの引っ掛かりを防止していた。
【０００３】
しかし、保護線の設置にはコストがかかる、保護線をレールブラケットに保持する手間がかかるなどの問題があった。
【先行技術文献】
【特許文献】
【０００４】
【特許文献１】特開２０１３−１７００７２号公報
【発明の概要】
【発明が解決しようとする課題】
【０００５】
本発明が解決しようとする課題は、保護線を設けなくても、ロープが昇降路内のレールブラケットの裏面に回り込み、引っかかることを防止するエレベータ装置を提供する。
【課題を解決するための手段】
【０００６】
上記課題を解決するため、実施形態のエレベータ装置は、エレベータの昇降方向に沿って昇降路に対を成して設けられたガイドレールと、前記ガイドレールを前記昇降路に支持し、前記ガイドレールを支持する支持面には上端に前記ガイドレールの幅以下の長さであり前記ガイドレールに遮蔽される短辺部と下端に長辺部とを有するレールブラケットと、を具備する。
【図面の簡単な説明】
【０００７】
【図１】従来のレールブラケットの参考模式図。
【図２】第１の実施形態に係るエレベータ装置の平面断面図。
【図３】第１の実施形態に係るエレベータ装置の乗りかごとガイドレールとの相関図。
【図４】第１の実施形態に係るエレベータ装置のカウンタウエイトとガイドレールとの相関図。
【図５】第１の実施形態に係るエレベータ装置のレールブラケットの図。
【図６】第２の実施形態に係るエレベータ装置の図。
【発明を実施するための形態】
【０００８】
以下、エレベータ装置の実施形態を図面に基づき説明する。参考として、図１に従来のレールブラケット４２の参考模式図を示す。従来のレールブラケット４２の支持面は、後述の短辺部と長辺部とを有さない、長方形の支持面の形状を有する。レールブラケット４２の接続部４２ｂ（角部）は乗りかご用ガイドレール３０の裏面に遮蔽されていないため、地震などの長周期振動がエレベータに起きた場合、メインロープ１１が接続部４２ｂに引っかかるおそれがあった。このため、従来は保護線（図示せず）を設ける必要があった。
【０００９】
（第１の実施形態）
図２は第１の実施形態に係るエレベータ装置１の平面断面図である。本実施形態のエレベータ装置１は昇降路１０内に乗りかご２０と、カウンタウエイト（釣合錘）２１と、乗りかご用ガイドレール３０と、カウンタウエイト用ガイドレール３１と、昇降路１０と乗りかご用ガイドレール３０とを支持する乗りかご用レールブラケット４０と、昇降路１０とカウンタウエイト用ガイドレール３１とを支持するカウンタウエイト用レールブラケット４１とが設けられている。
【００１０】
昇降路１０の上部には、エレベータ全体の制御を行う制御盤（図示せず）が設けられている。また、昇降路１０の上部または下部には巻上機（図示せず）が設けられている。巻上機には、一端が乗りかご２０と接続され、他端がカウンタウエイト２１と接続されたメインロープ１１が巻き架けられている。ただし、制御盤および巻上機の設置位置については、本実施形態、および以下の実施形態において、特に限定はされない。
【００１１】
制御盤の制御に基づいて巻上機が駆動されることにより、メインロープ１１の両端に接続された乗りかご２０及びカウンタウエイト２１が互いに反対方向に昇降動作する。図２では乗りかご２０およびカウンタウエイト２１は３本のメインロープ１１が接続されているが、メインロープ１１の本数や接続場所は図２に限定はされない。
【００１２】
乗りかご２０は乗りかご用ガイドレール３０に昇降動作可能に支持されている。乗りかご用ガイドレール３０は乗りかご用レールブラケット４０を介して、昇降路１０に昇降方向に支持されている。
【００１３】
乗りかご用ガイドレール３０は基部３０ａと刃部３０ｂとを有している。乗りかご用レールブラケット４０は、支持面４０ａを有しており、後述のレールクリップ５０にて支持面４０ａと基部３０ａとが支持されている。
【００１４】
刃部３０ｂは乗りかご２０に向かって延出して構成されている。乗りかご２０は、乗りかご２０の上面に設けられたローラ（図示せず）が刃部２０ｂを走行することで、昇降動作可能に支持されている。
【００１５】
カウンタウエイト２１はカウンタウエイト用ガイドレール３１に昇降動作可能に支持されている。
【００１６】
カウンタウエイト用ガイドレール３１は基部３１ａと刃部３１ｂとを有している。カウンタウエイト用レールブラケット４１は、支持面４１ａを有しており、後述のレールクリップ５０にて支持面４１ａと基部３１ａとが支持されている。
【００１７】
刃部３１ｂはカウンタウエイト２１に向かって延出して構成されている。カウンタウエイト２１は、カウンタウエイト２１の側面に設けられたローラ（図示せず）が刃部２１ｂを走行することで、昇降動作可能に支持されている。
【００１８】
図３は第１の実施形態に係るエレベータ装置１の乗りかご２０と乗りかご用レールブラケット４０との相関図である。図３（ａ）は図２のＡＡ´間の破線より上側について、エレベータ装置１を図示したものである。昇降路１０の壁面には支持板１２が設けられており、乗りかご用レールブラケット４０とアンカーボルトなどにより接続されている。乗りかご用レールブラケット４０は支持板１２との接地面から直角方向に支持面４０ａを有している。支持面４０ａは、乗りかご用ガイドレール３０の基部３０ａの内、刃部３０ｂがある面とは反対の面（裏面）にて支持されている。
【００１９】
図３（ａ）では、乗りかご２０の天井面にメインロープ１１が接続されている。ただし、本実施形態のエレベータ装置１は、図３（ｂ）のように、乗りかご２０に乗りかご用シーブ２２を設け、メインロープ１１を乗りかご用シーブ２２に巻き架ける構成をとっても良い。
【００２０】
図４は第１の実施形態に係るエレベータ装置１のカウンタウエイト２１とカウンタウエイト用ガイドレール３１との相関図である。図４（ａ）は図２のＡＡ´間の破線より下側について、エレベータ装置１を図示したものである。昇降路１０の壁面には支持板１２が設けられており、カウンタウエイト用レールブラケット４１とアンカーボルトなどにより接続されている。カウンタウエイト用レールブラケット４１は支持板１２との接地面から直角方向に支持面４１ａを有している。支持面４１ａは、カウンタウエイト用ガイドレール３１の基部３１ａの内、刃部３１ｂがある面とは反対の面（裏面）にて支持されている。
【００２１】
図４（ａ）では、カウンタウエイト２１の天井面にメインロープ１１が接続されている。ただし、本実施形態のエレベータ装置１は、図４（ｂ）のように、カウンタウエイト２１にカウンタウエイト用シーブ２３を設け、メインロープ１１をカウンタウエイト用シーブ２３に巻き架ける構成をとっても良い。
【００２２】
図５は第１の実施形態に係るエレベータ装置１のレールブラケットの図である。図５は図３の矢印Ｂの方向、または図４の矢印Ｃの方向から見たレールブラケットの図である。即ち、図５は、昇降路１０の内側から外側方向にレールブラケットを見た図となる。
【００２３】
図５のガイドレールは、乗りかご用ガイドレール３０、カウンタウエイト用ガイドレール３１のいずれでもよい。ガイドレールが乗りかご用ガイドレール３０の場合、レールブラケットは乗りかご用レールブラケット４０である。ガイドレールがカウンタウエイト用ガイドレール３１の場合、レールブラケットはカウンタウエイト用レールブラケット４１である。
【００２４】
以下、図５について、ガイドレールが乗りかご用ガイドレール３０の場合について、詳述する。なお、ガイドレールがカウンタウエイト用ガイドレール３１の場合についても同様であるため、詳細な説明は省略する。
【００２５】
乗りかご用ガイドレール３０はエレベータの昇降方向に沿って、乗りかご２０を挟んで対を成して昇降路１０に設けられている。なお、図５では、乗りかご用ガイドレール３０は基部３０ａのみ記載し、刃部３０ｂについては図示を省略している。
【００２６】
乗りかご用レールブラケット４０はＬ字の形状を有しており、一の面は昇降路１０に支持された支持板１２とアンカーボルトなどの治具により支持されている。ただし、支持板１２の形状などは図３〜図５の形状には限定はされない。
【００２７】
乗りかご用レールブラケット４０は、支持板１２に支持された面から直角方向に、乗りかご用ガイドレール３０を支持する支持面４０ａを有している。支持面４０ａは、乗りかご用ガイドレール３０の基部３０ａとレールクリップ５０により支持されている。これにより、乗りかご用レールブラケット４０は、乗りかご用ガイドレール３０を昇降路１０に支持している。なお、カウンタウエイト用レールブラケット４１の場合、支持面は支持面４１ａである。
【００２８】
支持面４０ａには、上端に乗りかご用レールブラケット４０の幅Ｗｒ以下の長さである短辺部４０ａ１を有している。短辺部４０ａ１の幅をＷａ１とすると、Ｗｒ≧Ｗａ１の関係を有する。短辺部４０ａ１は、昇降路１０の内側から見て、乗りかご用ガイドレール３０の裏面に遮蔽されている。
【００２９】
支持面４０ａには、下端に短辺部４０ａ１よりも長い長辺部４０ａ２を有している。長辺部４０ａ２の幅をＷａ２とすると、Ｗａ２＞Ｗａ１の関係を有する。
【００３０】
支持面４０ａには、縁部４０ａ３，４０ａ４を有している。縁部４０ａ３，４０ａ４は短辺部４０ａ１の端部と長辺部４０ａ２の端部とでつながっており、単一の傾斜による直線である。支持面４０ａは台形などの多角形の形状を有することとなる。
【００３１】
縁部４０ａ３，４０ａ４と短辺部４０ａ１とが接続する点を接続点４０ｂ（図５の点線円周部）とする。接続点４０ｂは支持面４０ａの角部である。接続点４０ｂは、乗りかご用ガイドレール３０の裏面に遮蔽されている。即ち、支持面４０ａの上端側の角部は、乗りかご用ガイドレール３０の裏面に遮蔽され、メインロープ１１が引っかかることを防止することができる。
【００３２】
本実施形態のエレベータ装置１は、保護線を設けなくても、メインロープ１１が昇降路１０内のレールブラケットの裏面に回り込み、引っかかることを防止することができる。
【００３３】
（第２の実施形態）
第２の実施形態であるエレベータ装置２の平面断面図は図２と同様である。また、エレベータ装置２の乗りかご２０と乗りかご用ガイドレール３０との相関図、カウンタウエイト２１とカウンタウエイト用ガイドレール３１との相関図はそれぞれ、図３、図４と同様である。
【００３４】
図６は第２の実施形態に係るエレベータ装置２のレールブラケットの図である。図６は第２の実施形態において、図３の矢印Ｂの方向、または図４の矢印Ｃの方向から見たレールブラケットの図である。即ち、図６は、昇降路１０の内側から外側方向にレールブラケットを見た図となる。
【００３５】
本実施形態のレールブラケット４３の支持面４３ａは、第１の実施形態のレールブラケット４０，４１の支持面４０ａ，４１ａの形状を変更したものである。レールブラケット４３は、乗りかご用のレールブラケット、カウンタウエイト用のレールブラケットのいずれでもよい。
【００３６】
以下、図６について、ガイドレールが乗りかご用ガイドレール３０の場合について、詳述する。なお、ガイドレールがカウンタウエイト用ガイドレール３１の場合についても同様であるため、詳細な説明は省略する。
【００３７】
本実施形態の乗りかご用ガイドレール３０、支持板１２、レールクリップ５０は第１の実施形態と同様のため、詳細な説明は省略する。
【００３８】
乗りかご用レールブラケット４３は、支持板１２に支持された面から直角方向に、乗りかご用ガイドレール３０を支持する支持面４３ａを有している。支持面４３ａは、乗りかご用ガイドレール３０の基部３０ａとレールクリップ５０により支持されている。これにより、乗りかご用レールブラケット４３は、乗りかご用ガイドレール３０を昇降路１０に支持している。
【００３９】
支持面４３ａには、上端に乗りかご用レールブラケット４３の幅Ｗｒ以下の長さである短辺部４３ａ１を有している。短辺部４３ａ１の幅をＷａ１とすると、Ｗｒ≧Ｗａ１の関係を有する。短辺部４３ａ１は、昇降路１０の内側から見て、乗りかご用ガイドレール３０の裏面に遮蔽されている。
【００４０】
支持面４３ａには、下端に短辺部４３ａ１よりも長い長辺部４３ａ２を有している。長辺部４３ａ２の幅をＷａ２とすると、Ｗａ２＞Ｗａ１の関係を有する。
【００４１】
支持面４３ａには、縁部４３ａ３，４３ａ４を有している。縁部４３ａ３，４３ａ４は短辺部４３ａ１の端部と長辺部４３ａ２の端部とでつながっており、円弧状の曲線である。
【００４２】
縁部４３ａ３，４３ａ４と短辺部４３ａ１とが接続する点を接続点４３ｂ（図６の点線円周部）とする。接続点４３ｂは支持面４３ａの角部である。接続点４３ｂは、乗りかご用ガイドレール３０の裏面に遮蔽されている。即ち、支持面４３ａの上端側の角部は、乗りかご用ガイドレール３０の裏面に遮蔽され、メインロープ１１が引っかかることを防止することができる。
【００４３】
本実施形態のエレベータ装置２は、保護線を設けなくても、メインロープ１１が昇降路１０内のレールブラケットの裏面に回り込み、引っかかることを防止することができる。
【００４４】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１，２…エレベータ装置、
１０…昇降路
１１…メインロープ
１２…支持板
２０…乗りかご
２１…カウンタウエイト
２２…乗りかご用シーブ
２３…カウンタウエイト用シーブ
３０…乗りかご用ガイドレール
３０ａ…乗りかご用ガイドレールの基部
３０ｂ…乗りかご用ガイドレールの刃部
３１…カウンタウエイト用ガイドレール
３１ａ…カウンタウエイト用ガイドレールの基部
３１ｂ…カウンタウエイト用ガイドレールの刃部
４０…乗りかご用レールブラケット
４０ａ…乗りかご用レールブラケットの支持面
４０ａ１…短辺部
４０ａ２…長辺部
４０ａ３…左縁部
４０ａ４…右縁部
４１…カウンタウエイト用レールブラケット
４１ａ…カウンタウエイト用レールブラケットの支持面
４２…従来のレールブラケット
４３…レールブラケット（乗りかご用またはカウンタウエイト用）
４３ａ…レールブラケットの支持面
５０…レールクリップ
【図１】
2019055829.tif 000003
【図２】
2019055829.tif 000004
【図３】
2019055829.tif 000005
【図４】
2019055829.tif 000006
【図５】
2019055829.tif 000007
【図６】
2019055829.tif 000008
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
エレベータの昇降方向に沿って昇降路に対を成して設けられたガイドレールと、
前記ガイドレールを前記昇降路に支持し、前記ガイドレールを支持する支持面には上端に前記ガイドレールの幅以下の長さであり前記ガイドレールに遮蔽される短辺部を有するレールブラケットと、
を具備し、
前記レールブラケットは下端に長辺部を有し、
前記支持面における前記短辺部の端部と前記長辺部の端部とは、円弧状の曲線または単一の傾斜による直線である縁部にてつながっており、前記縁部と前記短辺部との接続点は前記ガイドレールに遮蔽されている、
エレベータ装置。
【請求項２】
前記ガイドレールは、乗りかごを挟んで設けられた、請求項１に記載のエレベータ装置。
【請求項３】
前記ガイドレールは、カウンタウエイトを挟んで設けられた、請求項１に記載のエレベータ装置。
【手続補正２】
【補正対象書類名】明細書
【補正対象項目名】０００６
【補正方法】変更
【補正の内容】
【０００６】
上記課題を解決するため、実施形態のエレベータ装置は、エレベータの昇降方向に沿って昇降路に対を成して設けられたガイドレールと、前記ガイドレールを前記昇降路に支持し、前記ガイドレールを支持する支持面には上端に前記ガイドレールの幅以下の長さであり前記ガイドレールに遮蔽される短辺部を有するレールブラケットとを具備し、前記レールブラケットは下端に長辺部を有し、前記支持面における前記短辺部の端部と前記長辺部の端部とは、円弧状の曲線または単一の傾斜による直線である縁部にてつながっており、前記縁部と前記短辺部との接続点は前記ガイドレールに遮蔽されている。